(57)【要約】      （修正有）【課題】  従来の缶詰類の中身や風味は、製造元で決定されるだけであった現状を、即席なりにも利用者がその場で自由にその風味味わいを選択して好みの状態での賞味ができるようにする。【解決手段】  缶詰内液に混入すべき添加物を密封した上袋や下袋に、穴明けしたり裂断したりするための刃物類４種を開口部分等に適宜に設置する。【選択図】        図１
2006137487.tif 000002
【特許請求の範囲】
【請求項１】
即席飲料用の缶詰類の円形状の上蓋表面の中心付近に固定されてあり手動で上蓋の１部分を開ける部分開口器のてこの支点に関して、この支点に当る鋲等の中心軸の部分の裏側には、その飲料用内液内に開口時に混合しようとする混合物を詰めた適当な大きさの上下２種の内袋の内の上蓋裏に設けた上袋の上下の袋地を合せた様な部分の穴に中心軸の鋲等を通して上蓋と一緒に圧縮して第１の支点を形成してある場合での、てこの撮みを上蓋から引き上げる時には、支点の反対側のてこの先端により開口部分が上蓋からの下降を強制されると、開口部分の形状の上蓋面上の薄肉部分が外れるが、山折れ部には薄肉部分がないので其処だけが折れ曲がり、開口部分や裏面に設置の弧状刃もが下降し、次いで、てこの先端下部に設けた数個の下方突出に差をつけた突起部により、その開口部分に事前に形成された未然刃が下方に、上蓋縁に近い方から順に内液内に突出し、最後に、その開口部分の中心軸に最も近くに設置の縁の刃の下降により、密封された上袋の面との接触部が部分的に順次に破られ開き、別に、開口部分の裏に設置の下袋切開用の長柄刃が竿や長柄等の運動に伴い下袋をも切開し、それぞれに密封されてあった２種等の添加物の液体や粉末または固体等が、上袋や下袋等から自然にあるいは適当な状態で噴出流出して来ての缶詰類内液等と混合等するのに、購入者が、その開口部分の経時的な開き具合で、その添加物の混合量の内液に対する混合率等を自由に変化できるように構成設置した缶詰類。
【請求項２】
缶詰類の上蓋部分に固定されてあるてこの支点に当る中心軸部分の上蓋の裏側の部分や底部分等の缶内に封入の添加物を密封した上袋や下袋等の、上側の上蓋の開口部分に設置の弧状刃や未然刃や縁の刃等、及び、長柄による長柄刃等のそれぞれを単独に、または、適当に組み合わせて構成設置した缶詰類。
【発明の詳細な説明】
【発明の詳細な説明】
【技術分野】
【０００１】  本発明は、個人や家庭での即席飲食用の缶詰類の愛用者の需要の対応に関する。
【背景技術】
【０００２】  従来の缶詰類は、その必要に応じての飲食に対応できる様にとの配慮からの、製造元での１元的な味付け風味付けによる製品を発売しているだけであった。【０００３】  従って、個人や家庭の好みに応じて購入するだけで、言わば、１律的な味わいを世界中の人々が共有する様な状況にあり、それ以外の個人の状況環境等に応じた風合いや味わいに対応する事が不可能であった。【０００４】  ある事業所では、缶詰の最下部の底部と中間部に設置した中底との間に、本来の缶詰内容物とは別個の添加物を収容して、個人の感性に対応する様な製品を販売した場合もあったが、缶開けの為の２重手間の故か、販売数の伸びない理由でかで、途中で立ち消える状況もあった。
【発明が解決しようとする課題】
【０００５】  以上に述べた従来の簡易な飲食に対応した缶詰等の需要に対応した技術の、内容物の技術だけでの販売合戦での勝負では、新規な内容物を開発するための時間と混合率の変化での勝負となるだけで、このままでは、前進する人類の個々が必要とする欲求を満たす味わい等や、必要に応じての、缶詰類の内容の変化を求める姿勢から見放されかねない事情も生じ兼ねなかった。
【０００６】  特に、アルコール類に至っては、飲酒運転による事故の発生の原因となる可能性の最大原因となる場合があり、とは言え、長時間運転の途中での水分補給での際のうっかり飲酒での充足感が得られても、そのアルコール濃度の低下のための酔い冷ましの休憩はできず、みかん類の摂取もままならない場合などでの、効果的な方法としての、食酢等を１０倍乃至２０倍以上に薄めた溶液、の摂取に対応する飲み物の販売されていない場合にはどうしようもなく、事故に至る状況に見舞われることになる場合もあった。
【０００７】  その様な場合に備えて、アルコール濃度の体内での低下を助長する添加物や溶液を一緒に付属して購入できれば、その様な事故を未然に防止することができ、誘眠作用が低減できるだけではなく、エネルギー化が促進されて、注意力も増加する効果も期待できるようになる筈であると言える。
【０００８】  特に、嗜好に関する場合では、例えば、コーヒーの添加物としてのミルクを、別個の袋から混入したての混合溶液の微妙な味わいは、工場での企画人の嗜好によって決定された割合で混合されっ放しの場合に比べて、非常な高級感をもっての満足感を与えるから、その様な添加物としての溶液や粉末とか可溶性固体等の存在と開口直後での微妙な味わいを感得できる満足感を与えてくれるからの、需要の増加は企業に多大な販売の利益をもたらす貢献を期待できる。
【０００９】  それを更に、添加物の添加量の加減ができる様にしてある場合では、なおさらと言うことができる貢献は、言うに及ばずの限りであって、それも、大いに期待できる。
【００１０】  上の目的を達成する為に、個人がその選んだ缶詰類の味わいを他人とは違った様に自由に選択し変化させ得るように、密封袋には段階的な破断あるいは穿孔の可能な状況が出現できるようにする場合でも、運搬時の添加物類の不時の破損によるその添加物等が本来の液体等の中への混入の予防にも考慮する点をも組み込め得られれば、一層、良いことも言える。
【００１１】  添加物が酸性度が強い場合等では、缶詰金属がアルミであれば、酸にアルミが溶け出し、そのイオンの摂取による体内のイオン化傾向が大のカルシューム分等が溶解する場合があるので、缶内金属には対応の酸に強く無害の塗料等での被覆皮膜形成等も要請される。
【発明を実施するための最良の形態】
【００１２】  以下、本発明の実施の形態を図１〜図６に基づいて説明する。【００１３】  図２においては、１は円柱型をした即席飲用缶詰類の容器の側面（以下缶詰側面１）で、その周囲の上縁には上蓋縁２０で結合させた上蓋２が設置してあり、その円形の上蓋２には、図１での、円柱型の中心軸５付近に、裏表に貫く鋲等５０により２種の構造物が固定されてあり、表面上側には部分開口器用のてこ３を、裏面側には図１での１例の様に、本来の缶詰内溶液等（以下内液６等）中に混合すべき添加液体や適当な粉末または適当な固体の添加物（以下添加物７４）を密封した単複適当数の上袋７内の添加物７４が挟まれないように形成されてある部分を、通し穴等を通した後に表裏両面からの圧縮による、内液６等が漏れないように構成してある。【００１４】  図２の缶詰の底の縁２２の内側には図１の缶底３４が接続設定してあるが、缶詰側面１と結合させる前後での時点で、缶底３４の適当な位置には下袋３３を適当な方法で、１例として、図１には、下袋３３を押さえる円形とか弧状の押え輪３０から適当な押えばね２７を底の縁２２の内側に伸ばし、そのばねの力を利用して安定させる様な、仮の固定をさせてある。【００１５】  図１で、指先等でてこの撮み部（以下撮み４）を上蓋２から鋲等５０位置を支点として持ち上げると反対側のてこの先端８が鋲等５０の周りに上蓋２と垂直な面内で回転して下降するが、その付近の突起部１１に設置の下方への突起１１Ａにより最初に上蓋２の開口部分９に形成された未然刃１２または１２Ａを下方の内液６等側に指先の力の数倍の力で押し込まれ、薄肉部３５が外され、鋭い刃型が下方に突出されるので、上蓋２の裏側に密着している上袋７の上蓋２の裏の密着部７０に穴を明けるから、内液６の圧力により、上袋７に空気が入っている場合にはその空気が先に、次いで添加物７４がその穴から出て来るが、その開いた穴からの上蓋２の外部への噴出を防止するために、開口部分９の上面には、圧力にも丈夫で柔軟な薄膜４０を塗布したり貼付しておく場合があるが、いずれにしても、添加物７４が内液６と混合を開始する。【００１６】  てこの先端８の突起部１１に複数の突起が設置の場合には、突起１１Ａよりも上部にある最下部の突起１１Ｂが少しの時間を置いてから、続いて未然刃１２Ｂの部分に強力な圧力を及ぼし、その未然刃１２Ｂ部分を開口部分９の下側に押し出すので、未然刃１２Ｂが下向きの刃となって上袋７の上面部に２つ目の傷口をつけるので、添加物７４が全体として２倍の速さで内液６と混合するようになる。【００１７】  この時、てこ３の撮み４と支点の中心軸５との距離に対する中心軸５と未然刃１２Ｂとの距離の比率が最小となり、開口部分９の形成薄肉切り込み３６の開口部縁１０に沿っての下降離脱が開始し、直結上蓋２１と一緒に開口部分９１が上蓋２面よりも上方に持ち上がり、その直後に中心軸５を支持しているてこ３の隙間５１によるその支持力が衰えて、隙間端５２での支持に移り、てこ３の支点が、てこ先端８の下側部の、未然刃１２Ａまたは未然刃１２Ｂと開口部分９の縁の刃１３との間に接している起立部３２に移り、そこに下向きの力が加わる結果として、それに接触する開口部分９１が起立部３２からの下向きの力を受け、中心軸５の鋲等５０と直結上蓋２１とは撮み４への指先等による上方に力を与えられているために、その間の付近の縁の刃切り込み１０Ａ付近一帯の切り込みが外れ、それらと直結している縁の刃１３も下降することになり、鋲等５０で絞められていた上袋７がその縁の刃１３で大きく破られることになる。その結果として添加物７４の大部分は内液６と混合する状況に至る。【００１８】  図２の開口部分９には、別にその中心軸５から、または、山折れ部１８から最も遠い位置に当る図１の右端に示した様な、上蓋２の裏側の上袋７に向かって弧状の刃を持つ、弧状刃１６の柄の接続部１６Ａが固定してあり、その先端１６Ｂは、開口部分９が上蓋２の内部に押し込まれ始めたときには上袋７の最も膨らんでいる部分に差し込まれる様な状態に構成されてあり、その開口部分９の差し込み具合で添加物７４の流出量が加減できるように、その弧状刃１６の形状も設定してあり、開口部分９が最も大きく上蓋２内に入れ込まれた時には、全ての添加物７４が内液６と混合してしまうように設定してある。【００１９】  更に、缶詰類の缶底３４に設定してある下袋３３内の添加物７４Ｂを内液６と混合できる様にするために、１例として、弧状刃１６の接続部１６Ａ付近の開口部縁１０に、缶内に垂らす様に設置した竿２４の上端を固定端２３で固定し、その丈夫ではあるがある程度の応力には曲げられてしまう場合もある竿２４の先端２８には長柄２５の中間部と接続しておき、その接続には竿２４の先端２８部分を輪状にしてその中に長柄２５を通す場合もあるが、その長柄２５の、下袋３３がある側の先端には長柄刃２９が下袋３３を切開できるような状況の実現のために、図１では、元輪２６を取り付け、押え輪３０を安定させる押えばね２７の中の、缶底３４の半径方向に張らした部分に軽く挟んでおき、開口部分９が全開した場合には下袋３３をも全切開できるように、長柄刃２９の長柄２５の長さや接続角等が設定してある。押えばね２７の缶詰内での下袋３３の位置と押えばね２７の位置とを安定させるためには、缶底３４の底の縁２２の、対応する部分等に押えばね２７の先端等がはめ込められる、缶詰側面１の外側に突出させて形成する凹部を設ける事や、逆に、外側から凹ます等を設定しての、そのばねの効果を向上させる同様な制御をなすことも併設する場合もある。【００２０】  以上の４種の機構を全て設定した場合が請求項１の機構であり、４種を別個にでも、同一種の機構を複数個設定しても、同一効果が得られるようにして、最も効果が上がる場合の機構の構成が、請求項２の機構と言うことになる。【００２１】  以上の結果からは、この発明を利用した缶詰等の飲食物の混合体の混合率を、てこ３の撮み４の上げる状況の具合で、変化をつけた風合いを楽しめることができるようになることが言える。また、撮み４をゆっくり動かすか一気に全開するかによっても混合の状況の変化を楽しめることも言える。即ち、本発明の意図の効果が完全に発揮できる。
【発明の効果】
【００２２】  上述したように、本発明の構造を設置した缶詰類は、大衆の個人差のある時代に即した缶詰類飲食物の嗜好風合いの相違を各自の好みに応じる様に提供できるがゆえの、その購買力の増加と世界経済に対する向上高揚と利益の向上への期待にその効果を発揮できるものである。
【００２３】  また、請求項２の様に、それぞれの機構を単独に用いる場合にも、撮み４の引き上げ具合の変化による指先の芸術性への競技にも使用できるので、その風合いの個人競技の新規な分野をも開拓でき、その変化を楽しめるから、食道楽の１分野をも構成できる社会貢献も大であることも言える。
【００２４】  特に、夜間就労者が飲酒した場合でも、アルコール分を中和させる効果のある食酢その他の液体粉末等を添加物として摂取可能とすることで、その酔いを払拭し、かつ、夜間労働の能率を上昇させうる可能性があるゆえに、就労者の必需品としての大量の販売を促進できる様になる経済効果が大であり、ひいては、警察官の飲酒運転検査等の取り締まりからの開放が期待され、本来の車社会前の警察業務に専念できるようになるし、運転者の道徳観念や順法運転への向上が期待できるようになる。
【図面の簡単な説明】
【図１】  本発明の実施形態を示す缶詰類の上蓋部分の１部とその付属部分と、缶底に設定した構造と、上袋と下袋の１例を示した、１部省略１部断面図の、本発明の請求項１に対応する４種の機構を設置した場合の上蓋と缶底との構成側面図。
【図２】  本発明を設置できる缶詰類の、本発明をまだ実施していない場合の、斜め上方から鳥瞰した側面の１部を省略した概念的な鳥瞰図。
【図３】  本発明の請求項２に対応の、未然刃２個と縁の刃とを実施した場合の、図２の缶詰類の上蓋部分だけを裏返した状況での４角形状の上袋が１個の場合での、上蓋の裏面にその中心部分に鋲等で止めた状況と、２個の未然刃と１個の縁の刃の設置状況が上袋に隠れてどのような関係位置になるかを示し、その他は省略したその設置状況図。
【図４】  本発明の請求項２に当る、上蓋に設けた縁の刃の状況と開口部分の山折れ部と開口部縁との関係位置を示した、図２の缶詰類の上蓋部分だけを外して、その裏側に球体状の上袋を設置の状況を点線で示した斜め上方からの鳥瞰図。
【図５】  本発明の請求項２に当る、弧状刃だけを開口部分の裏側に設置した場合の、上蓋部分だけを示し、上袋の設置の状況を点線で示した斜め上方からの鳥瞰図。
【図６】  本発明での未然刃２個を開口部分に設置した場合の、開口部分を上蓋の裏面側に突出させた直後に上袋に突き刺さり、上袋内の添加物が流出する寸前の状況を示す、上蓋等の１部を断面とし、開口部分がまだ裏側に押し明けられていない時点での未然刃が突出している状況を点線で示し、開口部分を下降させた状況の上袋の１部内に食い込んでいる状況と、上蓋部の大略の側面図。
【符号の説明】
１  缶詰側面
１Ａ  省略した中間部
２  上蓋
３  てこ
４  撮み
５  中心軸
６  内液
７  上袋
８  先端
９  開口部分
１０  開口部縁
１０Ａ  縁の刃切り込み
１１  突起部
１１Ａ  突起部
１１Ｂ  突起部
１２  未然刃
１２Ａ  未然刃
１２Ｂ  未然刃
１２Ａ′  未然刃の突出状況
１２Ｂ′  未然刃の突出状況
１２Ａ″  未然刃から変化した刃
１２Ｂ″  未然刃から変化した刃
１３  縁の刃
１４  遊び
１５  開口部端
１６  弧状刃
１６Ａ  接続部
１６Ｂ  先端
１７  遊び端
１８  山折れ部
１９  遊び部分
２０  上蓋縁
２１  直結上蓋
２２  底の縁
２３  固定端
２４  竿
２５  長柄
２６  元輪
２７  押えばね
２８  先端
２９  長柄刃
３０  押え輪
３１  てこ補強部
３２  起立部
３３  下袋
３４  缶底
３５  薄肉部
３６  薄肉切り込み
４０  薄膜
５０  鋲等
５１  隙間
５２  隙間端
７０  上蓋裏密着部
７１  鋲止め用中空部
７３  上袋底
７４  添加物
７４Ｂ  添加物
９１  開口部分の起立部受け
【図１】
2006137487.tif 000003
【図２】
2006137487.tif 000004
【図３】
2006137487.tif 000005
【図４】
2006137487.tif 000006
【図５】
2006137487.tif 000007
【図６】
2006137487.tif 000008